(57)【要約】【課題】  放送と連動したネットワーク情報の提供方法を提供する。【解決手段】  ユーザがパソコン等の汎用情報処理装置で放送番組の時間情報等を含むコンテンツＩＤを送信すると、データベースサーバは、このコンテンツＩＤに基づいて放送時間を特定し、それに対応した最適な番組関連情報やメタタグデータを前記ユーザの汎用情報処理装置に提供できるようにした。【選択図】  図１
2006060426.tif 000002
【特許請求の範囲】
【請求項１】
コンテンツ再生に連動したネットワーク情報を汎用情報処理装置で受信可能としたネットワーク情報の提供方法であって、
放送受信装置が放送局から送信されたコンテンツＩＤと放送コンテンツからなる放送データを受信するステップと、
前記放送受信装置において、前記放送データから少なくともコンテンツＩＤを抽出し、該コンテンツＩＤを汎用情報処理装置に送信するステップと、
前記汎用情報処理装置が前記コンテンツＩＤを受信すると、ユーザからの検索指示入力を待って、該コンテンツＩＤを検索キーとしてネットワークを介してデータベースサーバにアクセスするステップと、
前記データベースサーバにおいて、前記コンテンツＩＤに関連付けられて記憶されているメタデータを索出して少なくともコンテンツＩＤをコンテンツサーバへ、メタデータを検索キーとして検索サーバへそれぞれ送信するステップと、
前記コンテンツサーバにおいて、前記で受信したコンテンツＩＤに関連付けられた詳細番組情報と、番組スポンサ情報とを番組関連データベースから索出するステップと、
前記コンテンツサーバにおいて、前記検索サーバでの検索結果を受信するステップと、
前記コンテンツサーバにおいて、前記番組情報と、前記番組スポンサ情報と、前記検索結果とを一画面情報としてコンテンツ連動情報提供画面データを生成するステップと、
前記コンテンツサーバにおいて、前記コンテンツ連動情報提供画面データを前記汎用情報処理装置にネットワークを介して送信するステップと、
前記コンテンツ連動情報提供画面データを受信した前記汎用情報処理装置が前記コンテンツ連動情報提供画面データを表示するステップとからなるコンテンツ再生と連動したネットワーク情報の提供方法。
【請求項２】
前記コンテンツＩＤは、放送時間情報が含まれており、
前記番組関連データベースには、前記コンテンツＩＤの放送時間情報毎に対応した番組情報が登録されており、
前記コンテンツサーバは、同一の放送コンテンツであっても、コンテンツＩＤとしての放送時間情報が異なる毎にそれに対応した異なる番組情報を含むコンテンツ連動情報を前記汎用情報処理装置にネットワークを介して送信することを特徴とする請求項１に記載のコンテンツ再生と連動したネットワーク情報の提供方法。
【請求項３】
前記コンテンツＩＤの放送受信装置から汎用情報処理装置への送信は、有線接続、無線接続のいずれかで行われる請求項１または２に記載のコンテンツ再生と連動したネットワーク情報の提供方法。
【請求項４】
コンテンツ再生に連動したネットワーク情報を汎用情報処理装置で受信可能としたネットワーク情報の提供方法であって、
媒体再生装置において、コンテンツＩＤとコンテンツデータとが格納された媒体から前記コンテンツＩＤとコンテンツデータとを読み出すステップと、
前記媒体再生装置において、前記コンテンツデータを再生するとともに、前記コンテンツＩＤを抽出し、該コンテンツＩＤを汎用情報処理装置に送信するステップと、
前記汎用情報処理装置が前記コンテンツＩＤを受信すると、ユーザからの検索指示入力を待って、該コンテンツＩＤを検索キーとしてネットワークを介してデータベースサーバにアクセスするステップと、
前記データベースサーバにおいて、前記コンテンツＩＤに関連付けられて記憶されているメタデータを索出して少なくともコンテンツＩＤをコンテンツサーバへ、メタデータを検索キーとして検索サーバへそれぞれ送信するステップと、
前記コンテンツサーバにおいて、前記で受信したコンテンツＩＤに関連付けられたコン
テンツの詳細な番組情報と、番組スポンサ情報とを番組関連データベースから索出するステップと、
前記コンテンツサーバにおいて、前記検索サーバでの検索結果を受信するステップと、
前記コンテンツサーバにおいて、前記番組情報と、前記番組スポンサ情報と、前記検索結果とを一画面情報としてコンテンツ連動情報提供画面データを生成するステップと、
前記コンテンツサーバにおいて、前記コンテンツ連動情報提供画面データを前記汎用情報処理装置にネットワークを介して送信するステップと、
前記コンテンツ連動情報提供画面データを受信した前記汎用情報処理装置が前記コンテンツ連動情報提供画面データを表示するステップとからなるコンテンツ再生と連動したネットワーク情報の提供方法。
【請求項５】
前記媒体は光学読取可能な大規模記憶媒体であり、前記コンテンツは映画、音楽、番組等の視聴用情報であり、前記コンテンツＩＤには、コンテンツの再生開始からの時間を特定する時間情報が含まれており、
前記番組関連データベースには、前記コンテンツＩＤの時間情報毎に対応した番組情報が登録されており、
前記コンテンツサーバは、同一の媒体であってもコンテンツＩＤとしての時間情報が異なる毎にそれに対応した異なる番組情報を含むコンテンツ連動情報を前記汎用情報処理装置にネットワークを介して送信することを特徴とする請求項４記載のコンテンツ再生と連動したネットワーク情報の提供方法。
【発明の詳細な説明】
【技術分野】
【０００１】
本発明は放送、たとえばテレビ放送やラジオ放送等の放送コンテンツ、またはＤＶＤ等の記憶媒体の再生コンテンツと連動したネットワーク情報の提供方法に関する。
【背景技術】
【０００２】
デジタル放送において、放送コンテンツの提供に際して、当該番組のジャンルや出演者等のいわゆるメタデータを生成することが予想されている。そしてこれらのメタデータは、録画予約の際の、番組名や出演者やジャンルの検索に使用されることが期待されている。
一方、放送コンテンツに対応した通信販売等の番組関連サイトをインターネット上に開設し、ユーザのパーソナルコンピュータ（汎用情報処理装置）に提供することも行われている。
【発明の開示】
【発明が解決しようとする課題】
【０００３】
前記のように、メタデータは番組コンテンツに関連する情報の宝庫であるにもかかわらず、これらのメタデータをマーケティングに利用する技術についてはほとんど提案されていなかった。特に家庭にまでネットワークが高度に普及した現在において、広告業界ではメタデータを有効活用するマーケティングモデル、すなわちメタデータマーケティングに関するビジネスモデルの確立が要請されていた。
一方、放送コンテンツ、再生コンテンツに対応してインターネットで情報提供を行う従来技術においても、放送コンテンツや再生コンテンツは３０分〜２時間程度と非常に長時間であるため、コンテンツの特定部分（場面）とその特定部分（場面）に登場する商品の販売サイトとをどのように連携付けるかが課題となっていた。
【０００４】
本発明 は、斯かる実情に鑑み、放送と連動したネットワーク情報の提供技術を実現し
、メタデータマーケティング市場の育成を支援するとともに、コンテンツ再生に際してその場面毎に最適な情報を汎用情報処理装置に提供することが可能な技術を提供することを技術的課題とするものである。
【課題を解決するための手段】
【０００５】
本発明は、コンテンツ再生に連動したネットワーク情報を汎用情報処理装置で受信可能としたネットワーク情報の提供方法であって、放送受信装置が放送局から送信されたコンテンツＩＤと放送コンテンツからなる放送データを受信するステップと、前記放送受信装置において、前記放送データから少なくともコンテンツＩＤを抽出し、該コンテンツＩＤを汎用情報処理装置に送信するステップと、前記汎用情報処理装置が前記コンテンツＩＤを受信すると、ユーザからの検索指示入力を待って、該コンテンツＩＤを検索キーとしてネットワークを介してデータベースサーバにアクセスするステップと、前記データベースサーバにおいて、前記コンテンツＩＤに関連付けられて記憶されているメタデータを索出して少なくともコンテンツＩＤをコンテンツサーバへ、メタデータを検索キーとして検索サーバへそれぞれ送信するステップと、前記コンテンツサーバにおいて、前記で受信したコンテンツＩＤに関連付けられた詳細番組情報と、番組スポンサ情報とを番組関連データベースから索出するステップと、前記コンテンツサーバにおいて、前記検索サーバでの検索結果を受信するステップと、前記コンテンツサーバにおいて、前記番組情報と、前記番組スポンサ情報と、前記検索結果とを一画面情報としてコンテンツ連動情報提供画面データを生成するステップと、前記コンテンツサーバにおいて、前記コンテンツ連動情報提供画面データを前記汎用情報処理装置にネットワークを介して送信するステップと、前記コ
ンテンツ連動情報提供画面データを受信した前記汎用情報処理装置が前記コンテンツ連動情報提供画面データを表示するステップとからなるコンテンツ再生と連動したネットワーク情報の提供方法である。
【０００６】
このように、一画面で詳細番組情報と、番組スポンサ情報と番組関連検索結果情報とをユーザの汎用情報処理装置、すなわちパーソナルコンピュータに表示させることができる。
【０００７】
そのため、ユーザは、番組に関する情報を一元的に把握することができ、たとえば出演者の情報や、番組で紹介された身回品や食品等を購入することが可能となる。
【０００８】
また、番組のスポンサにおいてもコンテンツサーバにより、ユーザ（視聴者）の番組に関する興味や関連商品の購入履歴等を把握することが可能となり、より的確なマーケティングリサーチが可能となる。
さらに、前記コンテンツＩＤに放送時間情報を含めておき、前記番組関連データベースには、前記コンテンツＩＤの放送時間情報毎に対応した番組情報を登録しておき、前記コンテンツサーバによって、同一の放送コンテンツであっても、コンテンツＩＤとしての放送時間情報が異なる毎にそれに対応した異なる番組情報を含むコンテンツ連動情報を前記汎用情報処理装置にネットワークを介して送信してもよい。
これにより、たとえば放送コンテンツの放送開始時点からたとえば３０分経過した時にテレビ画面で放映されている商品を特定して、当該商品の販売サイトのＵＲＬ（Uniform Resource Locator）を番組情報としてユーザの汎用情報処理装置（パーソナルコンピュータ）に送信することができる。
また、上記は放送コンテンツの他に、ＤＶＤ等の再生コンテンツにおいてもコンテンツＩＤとして再生開始時点からの時間情報を記録しておき、前記放送コンテンツの場合と同様に、再生経過時点毎に異なる情報をユーザの汎用情報処理装置（パーソナルコンピュータ）に送信してもよい。
【発明を実施するための最良の形態】
【０００９】
以下、本発明の実施の形態を添付図面を参照して説明する。
図１は発明を実施する形態の一例である。
同図において、メタタグは、ジャンル、出演者、演出家、権利管理関係情報等をテキスト化したものであり、番組コンテンツ毎に生成されてコンテンツＩＤ（ＣＩＤ）とともにメタタグデータベースサーバ（ＭＴＤＢＳＶ）に格納されている。
【００１０】
放送局（ＢＣＳ）からは、ヘッダにコンテンツＩＤ（ＣＩＤ）を格納し、データ領域にコンテンツデータを格納した放送データがテレビ受信装置（ＴＶＲ）（放送受信装置）に配信される。
【００１１】
前記放送データを受信したテレビ受信装置（ＴＶＲ）は、当該放送データのヘッダを読み込んでコンテンツＩＤ（ＣＩＤ）を抽出し、赤外線通信機能を使ってテレビ受信装置（ＴＶＲ）の近傍に配置されたパーソナルコンピュータ（ＰＣ）に当該コンテンツＩＤ（ＣＩＤ）を送信する。なお、テレビ受信装置（ＴＶＲ）とパーソナルコンピュータ（ＰＣ）との接続は、赤外線通信に限らず、有線ＬＡＮ、有線ケーブル、無線ＬＡＮ、ブルートゥース等の通信手段であってもかまわない。さらに、テレビ受信装置（ＴＶＲ）に装着されたＳＤカード（商標名）、メモリスティック（商標名）、ＵＳＢメモリなどの記憶媒体にコンテンツＩＤ（ＣＩＤ）を一旦転送し、この記憶媒体をテレビ受信装置（ＴＶＲ）から取り外して、パーソナルコンピュータ（ＰＣ）に装着することでコンテンツＩＤ（ＣＩＤ）をパーソナルコンピュータ（ＰＣ）に転送してもよい。
なお、コンテンツＩＤ（ＣＩＤ）には、その放映時の時間情報が付加されている。たと
えば、放映時の時間が１２時１２分である場合には、コンテンツＩＤの末尾に「１２１２」が付加される。
また、テレビ受信装置（ＴＶＲ）には、ＤＶＤ再生装置（ＤＶＤＰ）が接続されており、装着されたＤＶＤからコンテンツＩＤ（ＣＩＤ）には、そのＤＶＤの再生開始からの経過時間が時間情報として付加されている。たとえば経過時間が３０分である場合、コンテンツＩＤの末尾に「０３０」が付加されることになる。このような再生コンテンツのコンテンツＩＤ（ＣＩＤ）も前記放送コンテンツの場合と同様にパーソナルコンピュータ（ＰＣに）転送される。
【００１２】
パーソナルコンピュータ（ＰＣ）の詳細な構成は省略するが、中央処理装置（ＣＰＵ）、メモリおよびバスを中心に構成されており、大規模記憶装置としてハードディスク装置、入力装置としてキーボード、出力装置としてディスプレイ装置（ＤＩＳＰ）、印刷装置等が前記バスに接続されている。
【００１３】
コンテンツＩＤ（ＣＩＤ）を受信したパーソナルコンピュータ（ＰＣ）は、中央処理装置（ＣＰＵ）はハードディスク装置に格納されたプログラムにしたがって当該コンテンツＩＤ（ＣＩＤ）を一旦メモリに格納する。
【００１４】
前記パーソナルコンピュータ（ＰＣ）の中央処理装置（ＣＰＵ）は、ハードディスク装置から読み込んだブラウザプログラム（マイクロソフト社のインターネットエクスプローラ（商標名）等）を起動してディスプレイ装置（ＤＩＳＰ）に表示する。このブラウザプログラムはネットワークへのアクセス機能を備えており、汎用のＴＣＰ／ＩＰ網（いわゆるインターネット）にアクセス可能となっている。
【００１５】
このブラウザプログラムには、コンテンツサーバ（ＣＳＶ）から予め提供された初期画面が表示されており、この手記画面中の番組関連情報取得ボタンをマウス等の補助入力装置で指示して操作することにより、前記コンテンツＩＤ（ＣＩＤ）を検索キーとしたメタタグデータベースサーバ（ＭＴＤＢＳＶ）へのアクセスが開始される。なお、このとき、中央処理装置（ＣＰＵ）は、前記コンテンツＩＤ（ＣＩＤ）に時間情報が付加されている場合に、当該時間情報を付加したままコンテンツＩＤ（ＣＩＤ）をメタタグデータベースサーバ（ＭＴＤＢＳＶ）に送信する。このようにコンテンツＩＤ（ＣＩＤ）に時間情報を付加しておくことにより、放映時間を特定してそれに関連した情報のみを配信することが可能となる。たとえば、放映開始から３０分時点で画面に放映されている商品の販売情報（インターネットの通信販売サイトのアドレス等）を配信することが可能となる。
なお、時間情報としては、放映時の実時間（たとえば１２時１２分の場合は「１２１２」）の他、放送コンテンツの開始時点からの経過時間（たとえば３０分経過後であれば「０３０」）のいずれであってもよい。
また、このように時間情報（実時間）を付加しておくことにより、同一の放送コンテンツであっても、再放送の場合や、地域によって放送時間やスポンサが異なる場合でも最適な番組関連情報の提供が可能となる。
【００１６】
メタタグデータベースサーバ（ＭＴＤＢＳＶ）には、コンテンツＩＤ（ＣＩＤ）と関連付けられたメタタグデータが登録されており、ジャンル、出演者、演出家等の情報がテキストデータとして索出されるようになっている。
【００１７】
次に、メタタグデータベースサーバ（ＭＴＤＢＳＶ）は、前記コンテンツＩＤ（ＣＩＤ）をコンテンツサーバ（ＣＳＶ）に、前記メタタグデータを検索エンジンサーバ（ＳＥＳ）に送信する。
【００１８】
前記コンテンツＩＤ（ＣＩＤ）を受信したコンテンツサーバ（ＣＳＶ）は、さらに、コ
ンテンツデータベースサーバ（ＣＤＢＳ）にアクセスし、メタタグデータのみでは不足している番組関連情報を索出する。たとえば再放送情報や出演者の他の番組の出演情報、次回の予告編情報等がこれに該当する。
このとき、コンテンツデータベースサーバ（ＣＤＢＳ）には、コンテンツＩＤ（ＣＩＤ）毎に対応したＵＲＬが登録されている。たとえば、コンテンツＩＤのコンテンツ番号が１２３０４で、時間情報が１２時１２分（放映時実時間）である場合、アドレス（ＵＲＬ）として「http://www.123.041212.top」が読み出される。このＵＲＬには当該放送コン
テンツの１２時１２分の時点での放映内容に関連した商品販売情報が登録されている。
なお、コンテンツがＤＶＤの再生コンテンツである場合には、時間情報は再生開始時間からの経過時間とすることができる。たとえば、コンテンツＩＤのコンテンツ番号が１２３０４で、再生開始時間からの経過時間が３０分である場合、アドレス（ＵＲＬ）として「http://www.123.04030.top」が読み出される。このＵＲＬには当該再生コンテンツの再生開始時点から３０分経過した時点での再生内容に関連した商品販売情報が登録されている。
【００１９】
また、コンテンツサーバ（ＣＳＶ）は、広告サーバ（ＡＤＳ）にアクセスし、当該コンテンツＩＤ（ＣＩＤ）に対応したスポンサの広告ページのアドレスを取得する。
【００２０】
一方、メタタグデータを受信した検索エンジンサーバ（ＳＥＳ）は、当該メタタグデータを検索キーにしてＥＣサイト検索サーバ（ＥＣＡＤＤＢ）を検索する。これにより、出演者のタレントショップや番組宣伝用商品の販売サイト等の商品購入サイトが索出される。
【００２１】
コンテンツサーバ（ＣＳＶ）では、上記番組県連情報、広告情報、ＥＣサイト情報を一画面に表示する放送連動情報提供画面データを生成する。この放送連動情報提供画面データは、ＨＴＭＬまたはＸＭＬ、またはＪＡＶＡ（登録商標）等のブラウザプログラムで表示可能な形式のデータで生成される。
【００２２】
このようにして生成された放送連動情報提供画面データは、コンテンツサーバ（ＣＳＶ）からネットワークを介してパーソナルコンピュータ（ＰＣ）に送信される。
【００２３】
図１の右下に表示されている表示データはユーザ（視聴者）のパーソナルコンピュータ（ＰＣ）のディスプレイ装置（ＤＩＳＰ）において表示された放送連動情報提供画面データの一例である。
【産業上の利用可能性】
【００２４】
本発明のコンテンツ再生と連動したネットワーク情報の提供方法は地上波デジタルテレビ放送、地上波デジタルラジオ放送、衛星放送、ケーブルテレビ、ＤＶＤ再生等に利用できる。
【図面の簡単な説明】
【００２５】
【図１】本発明の実施形態を示すシステム構成図である。
【符号の説明】
【００２６】
ＭＴＤＢＳ  メタタグデータベースサーバ
ＢＣＳ  放送局
ＴＶＲ  テレビ受信装置
ＰＣ  パーソナルコンピュータ（汎用情報処理装置）
ＤＩＳＰ  ディスプレイ装置
ＣＳＶ  コンテンツサーバ
ＣＤＢＳ  コンテンツデータベースサーバ
ＡＤＳ  広告サーバ
ＳＥＳ  検索サーバ
ＥＣＡＤＤＢ  ＥＣサイト検索サーバ
【図１】
2006060426.tif 000003